【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
画像データを処理する、カメラ付きポータブルデバイスを操作する方法であって、前記デバイスがユーザによって携行され、前記方法が、以下の
最初のセットの複数の異なる画像処理演算を行うステップと、
明示されたユーザコマンドなしに、状況が保証するとき、追加の画像処理演算を呼び出すステップと、
を含み、
前記デバイスが自律的に作動して、推論又は予想されたユーザの要望をかなえる、方法。
【請求項２】
前記画像処理演算のうち１つ又は複数の結果生じるデータオブジェクトを格納するか、又は、その前記格納を用意し、前記データオブジェクトに関するセマンティックアサーションを、リモートのリンクトデータレジストリへ送信するステップを含む、請求項１に記載の方法。
【請求項３】
前記画像データによって表されたシーン内で１つ又は複数の視覚的特徴を見極め、視覚的ボーブルを前記デバイスの画面上で、前記シーン内の前記視覚的特徴（複数可）に対応する場所（複数可）に提示するステップを含む、請求項１に記載の方法。
【請求項４】
前記ボーブルが、長方形でない形状である、請求項３に記載の方法。
【請求項５】
前記デバイスの画面上で１つ又は複数のボーブルに関して、ユーザのジェスチャーを検知し、それに基づいてアクションを起こすステップを含む、請求項３に記載の方法。
【請求項６】
前記アクションが、
（ａ）より多いか又はより少ない処理リソースを、ボーブルに関連付けられた機能に割り振るステップであって、前記機能が、前記ユーザのジェスチャーを検知するより前に開始されている、ステップと、
（ｂ）ボーブルに関連付けられた処理を縮小し、それに関係付けられた情報を格納して、ユーザプリファレンス又は振る舞いのパターンを見極めることができるようにするステップと、
（ｃ）リモート処理システム内で関連処理を継続中に、前記デバイス上でボーブルに関連付けられた処理を少なくとも一時的に縮小するステップと、
（ｄ）画像を編集して、１つ又は複数の特徴を除外するステップと、
（ｅ）前記デバイスの画面上に提示された画像データ内の１つ又は複数の特徴の投影を変更するステップと、
（ｆ）複数のボーブルによって表されたエンティティ間の社会的関係を定義するステップと、
のうち、少なくとも１つを含む、請求項５に記載の方法。
【請求項７】
前記提示されたボーブルのうち少なくとも１つを遠近法によって曲げて、前記シーン内で見極められた表面特徴に対応するようにするステップを含む、請求項３に記載の方法。
【請求項８】
前記画像処理演算のうち１つ又は複数が、前記シーン内で特徴を認識又は識別するなど、所望の結果に向かって進行するとき、前記提示されたボーブルのうち１つの明るさ、形状又はサイズを変更するステップを含む、請求項３に記載の方法。
【請求項９】
前記呼び出すステップが、
（ａ）場所、
（ｂ）時刻、
（ｃ）１人又は複数の人々への近接、
（ｄ）前記最初のセットの画像処理演算に基づいた出力、又は
（ｅ）ユーザの振る舞いの統計モデルのうち、少なくとも１つを含む状況に基づいて、追加の画像処理演算を呼び出すサブステップを含む、請求項１に記載の方法。
【請求項１０】
前記画像処理演算のうち１つ又は複数からの結果を含むデータから、前記ユーザによって望まれたインタラクションのタイプについての情報を推論し、そのような情報に基づいて、追加の画像処理演算を呼び出すステップを含む、請求項１に記載の方法。
【請求項１１】
データをリモートシステムへ送信して、前記リモートシステムが前記デバイスと同じ画像処理演算のうち１つ又は複数を行うことができるようにするステップをも含む、請求項１に記載の方法。
【請求項１２】
前記デバイスが自律的に作動して、前記デバイスのカメラによって撮像された硬貨の集まりの価値を決定する、請求項１に記載の方法。
【請求項１３】
第１のセットの行われるべき追加の画像処理演算を、より大きい第２のセットの可能な画像処理演算から、
（ａ）デバイスリソース使用、
（ｂ）別々の前記可能な演算に関連付けられたリソース需要、及び
（ｃ）別々の前記可能な演算の間の対応のうち、１つ又は複数を示すデータに基づいて、選択するステップを含む、請求項１に記載の方法。
【請求項１４】
前記方法が、前記画像データによって表されたシーン内で１つ又は複数の視覚的特徴を見極め、そのような特徴の各々に関係付けられたデータを、対応する識別子に関連して格納するステップを含み、前記識別子が、以下の
（ａ）セッションＩＤ、
（ｂ）明示的オブジェクトＩＤ、及び
（ｃ）前記特徴から導出された、又は、関連状況から導出されたデータのうち、少なくとも２つに基づく、請求項１に記載の方法。
【請求項１５】
前記方法が、前記デバイス内の非画像センサシステムを使用して、非画像情報を作り出し、そのような情報を、以下の
（ａ）画像処理演算の選択に影響を与えること、及び
（ｂ）前記画像データについての２つ以上の候補の結論の間の曖昧性を除去することのうち、少なくとも１つのために用いるステップを含み、
前記非画像センサシステムが、ジオロケーションシステム、音声センサ、温度センサ、磁場センサ、動きセンサ又は嗅覚センサのうち、少なくとも１つを含む、請求項１に記載の方法。
【請求項１６】
前記画像データのうち少なくとも一定のもの、又は、前記画像処理演算のうち１つ又は複数からのデータを、リモートコンピュータシステムへ送信して、前記リモートコンピュータシステムが、前記デバイスが、その処理中に、見極めなかった情報を収集するために、前記デバイスによって以前に行われた画像処理を継続することができるようにするステップをさらに含む、請求項１に記載の方法。
【手続補正２】
【補正対象書類名】明細書
【補正対象項目名】０８１３
【補正方法】変更
【補正の内容】
【０８１３】
当然、上述の方法に対応するデバイス及びソフトウェア、並びに、上述のデバイスに対応する方法及びソフトウェアもまた、出願人の発明の研究の部分である。また、ポータブルデバイス内のプロセッサによって行われているとして記載される方法をまた、リモートサーバによって行うこともでき、又は、いくつかのユニットによって分散した方法で行うことができる。
発明例
［発明例１］
プロセッサを有するポータブルユーザデバイスを用いた方法であって、前記プロセッサが、前記方法の１つ又は複数のステップを行うように構成され、前記デバイスがまた、音声を受信する少なくとも１つのマイクロフォンをも含み、前記方法が、
音声認識モジュールに、マイクロフォン（複数可）によって受信されたユーザ発話に対応する音声データを適用し、且つ、それに対応する認識されたユーザ発話データを受信するステップと、
前記認識されたユーザ発話データを参照することによって、前記マイクロフォン（複数可）によって受信された音声に関連して適用されるべき、１つ若しくは複数の信号処理動作（複数可）、又は、信号処理動作のためのパラメータを推論するステップと、
を含む、方法。
［発明例２］
前記マイクロフォン（複数可）によって受信された音声において、前記推論された信号処理動作（複数可）を行うステップをさらに含む、発明例１に記載の方法。
［発明例３］
前記方法が、前記推論された信号処理動作（複数可）を行うステップに関連して、前記ポータブルデバイスの画面上に、それに関係付けられたボーブルを表示するステップをさらに含み、前記ボーブルの外観が、第１の状態から第２の状態へ変化して、前記信号処理における処理を示す、発明例２に記載の方法。
［発明例４］
前記推論するステップが、認識されたユーザ発話データをデータ構造に適用し、且つ、命令、又は、それに対応するパラメータデータを取得するサブステップを含む、発明例１に記載の方法。
［発明例５］
前記信号処理動作（複数可）が、音声イコライゼーション機能を含む、発明例１に記載の方法。
［発明例６］
前記パラメータが、それにより前記音声がサンプリング又は再サンプリングされるサンプリング周波数に関する、発明例１に記載の方法。
［発明例７］
前記パラメータが、前記音声に関連して調べられるべきであるリモートデータベースの識別に関する、発明例１に記載の方法。
［発明例８］
前記信号処理動作（複数可）が、前記音声に適用されるべきコンテンツ識別処理に関する、発明例１に記載の方法。
［発明例９］
前記信号処理動作（複数可）が、前記音声に適用されるべきウォーターマークベースのコンテンツ識別処理に関する、発明例８に記載の方法。
［発明例１０］
前記信号処理動作（複数可）が、前記音声に適用されるべきフィンガープリントベースのコンテンツ識別処理に関する、発明例８に記載の方法。
［発明例１１］
前記認識された発話データが、前記ユーザの環境内の対象を識別し、前記方法が、前記識別された対象に基づいて、前記１つ若しくは複数の信号処理動作（複数可）、又は、パラメータを推論するステップを含む、発明例１に記載の方法。
［発明例１２］
前記音声データを、前記ポータブルユーザデバイス内の音声認識モジュールに適用するステップを含む、発明例１に記載の方法。
［発明例１３］
前記認識されたユーザ発話データが、ない（ｎｏｔ）、ノー（ｎｏ）、及び、無視する（ｉｇｎｏｒｅ）、というリストからの否定を含み、前記方法が、それに基づいて信号処理を変更するステップを含む、発明例１に記載の方法。
［発明例１４］
前記推論するステップがまた、部分的にコンテキスト情報にも基づく、発明例１に記載の方法。

［発明例１５］
プロセッサを有するポータブルユーザデバイスを用いた方法であって、前記プロセッサが、前記方法の１つ又は複数のステップを行うように構成され、前記デバイスがまた、前記ユーザの環境から第１及び第２の異なるタイプの刺激をそれぞれ受信するための、少なくとも第１のセンサ及び第２のセンサをも含み、前記第１のセンサが、聴覚刺激を検知するためのマイクロフォンを備え、前記方法が、
音声認識モジュールに、前記マイクロフォンによって受信されたユーザ発話に対応する音声データを適用するステップと、
前記音声認識モジュールから、動詞に対応する、認識された動詞データを受信するステップと、
前記認識された動詞データを参照することによって、前記第１の刺激タイプ又は前記第２の刺激タイプのうちどちらが前記ユーザにとって関心のあるものであるかを決定するステップと、
前記音声認識モジュールから、前記ユーザの環境内の対象に対応する、認識された名詞データを受信するステップと、
前記認識された名詞データを参照することによって、前記決定されたタイプの刺激に関連して適用されるべき、１つ若しくは複数の信号処理動作（複数可）、又は、信号処理動作のためのパラメータを決定するステップと、
を含む、方法。
［発明例１６］
前記動詞データが、注視する（ｌｏｏｋ）、見守る（ｗａｔｃｈ）、眺める（ｖｉｅｗ）、見る（ｓｅｅ）、及び、読む（ｒｅａｄ）、からなるリストからの動詞に対応するデータを備える、発明例１５に記載の方法。
［発明例１７］
前記動詞データが、聴く（ｌｉｓｔｅｎ）、及び、聞く（ｈｅａｒ）、からなるリストからの動詞に対応するデータを備える、発明例１５に記載の方法。
［発明例１８］
前記名詞データが、新聞、本、雑誌、ポスター、テキスト、印刷物、チケット、箱、パッケージ、カートン、包装紙、製品、バーコード、ウォーターマーク、写真、人、男性、少年、女性、少女、人々、ディスプレイ、画面、モニタ、ビデオ、映画、テレビ、ラジオ、アイフォン、アイパッド（登録商標）、及び、キンドル、からなるリストからの名詞に対応するデータを備える、発明例１５に記載の方法。
［発明例１９］
前記認識された動詞データを参照することによって、視覚刺激が前記ユーザにとって関心のあるものであることを決定するステップと、前記視覚刺激に適用されるべき画像処理のタイプを決定するステップと、を含む、発明例１５に記載の方法。
［発明例２０］
前記画像処理のタイプが、デジタルウォーターマーク復号を備える、発明例１９に記載の方法。
［発明例２１］
前記画像処理のタイプが、画像フィンガープリンティングを備える、発明例１９に記載の方法。
［発明例２２］
前記画像処理のタイプが、光学式文字認識を備える、発明例１９に記載の方法。
［発明例２３］
前記画像処理のタイプが、バーコード読み取りを備える、発明例１９に記載の方法。
［発明例２４］
前記認識された動詞データを参照することによって、視覚刺激が前記ユーザにとって関心のあるものであることを決定するステップと、
前記認識された名詞データを参照することによって、視覚刺激に適用されるべきフィルタリング機能を決定するステップと、
を含む、発明例１５に記載の方法。
［発明例２５］
前記認識された動詞データを参照することによって、視覚刺激が前記ユーザにとって関心のあるものであることを決定するステップと、
前記認識された名詞データを参照することによって、視覚刺激に適用されるべき光学的焦点合わせ機能を決定するステップと、
を含む、発明例１５に記載の方法。
［発明例２６］
前記認識されたユーザ発話データが、ない（ｎｏｔ）、ノー（ｎｏ）、及び、無視する（ｉｇｎｏｒｅ）、というリストからの否定を含む、発明例１５に記載の方法。

［発明例２７］
プロセッサを有するポータブルユーザデバイスを用いた方法であって、前記プロセッサが、前記方法の１つ又は複数のステップを行うように構成され、前記デバイスがまた、第１及び第２の異なるタイプの刺激をそれぞれ受信するための、少なくとも第１のセンサ及び第２のセンサをも含み、前記方法が、
前記デバイスにおいて、前記ユーザにとって関心のあるものである、前記ユーザの環境内の対象の識別を助ける、非触覚ユーザ入力を受信するステップと、
関心の対象を示す前記入力を参照することによって、関連付けられたセンサデータ処理システムを、その対象に関連付けられた情報を抽出するように構成するステップと、
を含む、方法。
［発明例２８］
前記ユーザにとって関心のあるものである前記対象を示す、ユーザ発話入力を受信するステップを含む、発明例２７に記載の方法。
［発明例２９］
前記構成するステップが、前記関連付けられたセンサに関するデータを処理することにおいて使用されるパラメータを確立するサブステップを含む、発明例２７に記載の方法。

［発明例３０］
プロセッサを有するポータブルユーザデバイスを用いた方法であって、前記プロセッサが、前記方法の１つ又は複数のステップを行うように構成され、前記デバイスがまた、前記ユーザの環境から第１及び第２の異なるタイプの刺激をそれぞれ受信するための、少なくとも第１のセンサ及び第２のセンサをも含み、前記第１のセンサが、聴覚刺激を検知するためのマイクロフォンを備え、前記方法が、
音声認識モジュールに、マイクロフォン（複数可）によって受信されたユーザ発話に対応する音声データを適用し、且つ、それに対応する認識されたユーザ発話データを受信するステップと、
前記認識されたユーザ発話データを参照することによって、前記第２のタイプの刺激に関連して適用されるべき処理を、少なくとも部分的に定義するパラメータを確立するステップと、
を含む、方法。

［発明例３１］
非一時的ソフトウェア命令を含む、コンピュータ可読物理記憶媒体であって、前記非一時的ソフトウェア命令が、そのようなソフトウェア命令によってプログラムされたユーザデバイスプロセッサに、
音声認識モジュールに、マイクロフォン（複数可）によって受信されたユーザ発話に対応する音声データを適用し、且つ、それに対応する認識されたユーザ発話データを受信すること、及び
前記認識されたユーザ発話データを参照することによって、前記第２のタイプの刺激に関連して適用されるべき処理を、少なくとも部分的に定義するパラメータを確立すること
を行わせるように動作する、コンピュータ可読物理記憶媒体。
［発明例３２］
前記確立されたパラメータに従って、前記第２のタイプの刺激を処理することを、前記プロセッサに行わせるように動作する命令を追加で含む、発明例３１に記載のコンピュータ可読物理記憶媒体。

［発明例３３］
音声を受信する少なくとも１つのマイクロフォンを有し、且つ、プロセッサを有するスマートフォンデバイスであって、前記プロセッサが、以下の
音声認識モジュールに、マイクロフォン（複数可）によって受信されたユーザ発話に対応する音声データを適用し、且つ、それに対応する認識されたユーザ発話データを受信するステップと、
前記認識されたユーザ発話データを参照することによって、前記第２のタイプの刺激に関連して適用されるべき処理を、少なくとも部分的に定義するパラメータを確立するステップと、
前記確立されたパラメータに従って、前記第２のタイプの刺激を処理するステップと、
を行うように構成される、スマートフォンデバイス。

［発明例３４］
複数のセンサと、プロセッサと、メモリとを有するポータブルデバイスを用いた方法であって、前記プロセッサが、複数の認識エージェントサービスの実行に関与し、前記サービスが、センサデータを入力として取り、且つ、出力を作り出し、前記メモリが、ブラックボードデータ構造を備え、前記方法が、サービスに対して、前記ブラックボードデータ構造においてデータを投稿、編集又は削除するための特権を、（ａ）前記サービスが性質的に商用であるかどうか、及び／又は、（ｂ）前記サービスに関する外部プロバイダから用意された信用のしるしが基準を満たすかどうかに応じて、付与するステップを含む、方法。
［発明例３５］
前記ブラックボードデータ構造が、異なる認識エージェントサービスがデータを投稿することができる先の複数の仮想ページを、その間のリンクと共に備える、ウィキとして配置される、発明例３４に記載の方法。

［発明例３６］
画像及び音声センサと、プロセッサと、メモリとを有するポータブルデバイスであって、前記メモリが、以下の
画像データを処理して、オブジェクト認識データを作り出すステップと、
音声データを処理して、認識された発話データを作り出すステップと、
前記認識された発話データを作り出すことにおける曖昧性を解決することに関連して、前記オブジェクト認識データを使用するステップと、
を、前記デバイスに行わせる命令を格納する、ポータブルデバイス。

［発明例３７］
場所及び音声センサと、プロセッサと、メモリとを有するポータブルデバイスであって、前記メモリが、以下の
前記場所センサからのデータを参照することによって、前記デバイスの場所についての場所記述子を取得するステップと、
音声データを処理して、認識された発話データを作り出すステップと、
前記認識された発話データを作り出すことにおける曖昧性を解決することに関連して、前記場所記述子を使用するステップと、
を、前記デバイスに行わせる命令を格納する、ポータブルデバイス。

［発明例３８］
受信された画像データを解析して、カラフルさのメトリック又はコントラストのメトリックを決定するステップと、
異なるタイプの画像から導出された情報をモバイル電話からユーザに提示するために、複数の異なる画像認識処理のうちどれが、又は、複数の異なる画像認識処理がどの順序で、前記モバイル電話のカメラによってキャプチャされた画像データに適用されるべきであるかを決定することにおいて、前記決定されたメトリックを使用するステップと、
を含む、方法。
［発明例３９］
前記決定するステップに従って、画像認識処理を適用するステップを含む、発明例３８に記載の方法。
［発明例４０］
バーコード読み取り機能、光学式文字認識機能、顔認識機能、及び／又は、ウォーターマーク復号機能を、前記決定するステップの結果として適用するステップを含む、発明例３８に記載の方法。
［発明例４１］
バーコード読み取り機能を、前記決定するステップの結果として適用するステップを含む、発明例３８に記載の方法。
［発明例４２］
光学式文字認識機能を、前記決定するステップの結果として適用するステップを含む、発明例３８に記載の方法。
［発明例４３］
顔認識機能を、前記決定するステップの結果として適用するステップを含む、発明例３８に記載の方法。
［発明例４４］
ウォーターマーク復号機能を、前記決定するステップの結果として適用するステップを含む、発明例３８に記載の方法。
［発明例４５］
前記画像データを、モバイル電話デバイスのカメラシステムから受信するステップを含む、発明例３８に記載の方法。
［発明例４６］
前記複数の画像認識処理のうちどれを呼び出さないかを決定することにおいて、前記決定されたメトリックを使用するステップをさらに含む、発明例３８に記載の方法。
［発明例４７］
プロセッサと、メモリとを含むモバイル電話であって、前記メモリが、発明例３８に記載の方法を前記プロセッサに行わせる、非一時的ソフトウェア命令を含む、モバイル電話。

［発明例４８］
非一時的ソフトウェア命令を格納しているコンピュータ可読記憶媒体であって、前記命令が、それによってプログラムされたモバイル電話プロセッサに、
受信された画像データを解析して、色の彩度のメトリック又はコントラストのメトリックを決定すること、及び
複数の異なる画像認識処理のうちどれが、又は、複数の異なる画像認識処理がどの順序で、前記モバイル電話によって呼び出されるべきであるかを決定することにおいて、前記決定されたメトリックを使用することを行わせるように動作する、コンピュータ可読記憶媒体。

［発明例４９］
受信された画像データを解析して、色の彩度のメトリックを決定するステップと、
前記決定されたメトリックを、閾値と比較するステップと、
前記決定されたメトリックが前記閾値より低い場合、第１のセットの処理から１つ又は複数の認識処理を適用するステップと、
前記決定されたメトリックが前記閾値より高い場合、前記第１のセットの処理とは異なる第２のセットの処理から、１つ又は複数の認識処理を適用するステップと、
を含む、方法。
［発明例５０］
前記決定されたメトリックが前記閾値より低い場合、前記第１のセットの処理から１つ又は複数の認識処理を適用した後、前記第２のセットの処理から認識処理を適用するステップをさらに含む、発明例４９に記載の方法。
［発明例５１］
前記セットのうち一方がバーコード読み取り処理を含み、前記セットのうち他方が顔認識処理を含む、発明例４９に記載の方法。
［発明例５２］
前記セットのうち一方がバーコード読み取り処理を含み、前記セットのうち他方がオブジェクト認識処理を含む、発明例４９に記載の方法。
［発明例５３］
前記セットのうち一方がＯＣＲ処理を含み、前記セットのうち他方が顔認識処理を含む、発明例４９に記載の方法。
［発明例５４］
前記セットのうち一方がＯＣＲ処理を含み、前記セットのうち他方がオブジェクト認識処理を含む、発明例４９に記載の方法。

［発明例５５］
第１のセットの画像データを解析して、色の彩度のメトリックを計算するステップと、
前記計算された色の彩度のメトリックを、入力として、ルールベースの処理に適用して、複数の異なる認識処理のうちどれが、又は、複数の異なる認識処理がどの順序で、適用されるべきであるかを決定するステップと、
前記決定された認識処理（複数可）を、画像データのセットに適用するステップと、
を含む、方法。
［発明例５６］
前記決定された認識処理（複数可）を、前記第１のセットの画像データに適用するステップを含む、発明例５５に記載の方法。
［発明例５７］
前記決定された認識処理（複数可）を、前記第１のセットの画像データとは異なる第２のセットの画像データに適用するステップを含む、発明例５５に記載の方法。

［発明例５８］
センサベースの、人力による、ルートに沿ったナビゲーションの方法であって、前記方法が、
目的地までのルートを決定するステップと、
前記ユーザによって携行された電子装置内の１つ又は複数のセンサを使用して、前記決定されたルートに沿ったユーザの進行を検知するステップと、
フィードバックを前記ユーザに提供して、ナビゲーションを支援するステップと、
を含み、
前記フィードバックが、前記ユーザが前記目的地へ向かって進行するにつれて、より頻繁になるクリックのパターンを含む、方法。
［発明例５９］
前記フィードバックが、振動フィードバックを含む、発明例５８に記載の方法。
［発明例６０］
前記ユーザが向く方向に従って、前記フィードバックを変更して、前記ユーザによる進行するべき方向の決定を支援するステップを含む、発明例５８に記載の方法。
［発明例６１］
前記ユーザが静止しているとき、前記フィードバックの大きさを増し、又は、前記ユーザが動いているとき、前記フィードバックの前記大きさを減らすステップを含む、発明例５８に記載の方法。
［発明例６２］
前記１つ又は複数のセンサが、その方向を示す出力データを作り出す磁力計を含み、前記磁力計が、−前記装置が前記ユーザによって携行される向きにより−前記ユーザが向いている方向よりも逸脱する方向を示すことがあり、前記方法が、前記逸脱を補償するステップを含む、発明例５８に記載の方法。

［発明例６３］
画像データを処理する、カメラ付きポータブルデバイスを操作する方法であって、前記デバイスがユーザによって携行され、前記方法が、以下の
最初のセットの複数の異なる画像処理演算を行うステップと、
明示されたユーザコマンドなしに、状況が保証するとき、追加の画像処理演算を呼び出すステップと、
を含み、
前記デバイスが自律的に作動して、推論又は予想されたユーザの要望をかなえる、方法。
［発明例６４］
前記画像処理演算のうち１つ又は複数の結果生じるデータオブジェクトを格納するか、又は、その前記格納を用意し、前記データオブジェクトに関するセマンティックアサーションを、リモートのリンクトデータレジストリへ送信するステップを含む、発明例６３に記載の方法。
［発明例６５］
前記画像データによって表されたシーン内で１つ又は複数の視覚的特徴を見極め、視覚的ボーブルを前記デバイスの画面上で、前記シーン内の前記視覚的特徴（複数可）に対応する場所（複数可）に提示するステップを含む、発明例６３に記載の方法。
［発明例６６］
前記ボーブルが、長方形でない形状である、発明例６５に記載の方法。
［発明例６７］
前記デバイス画面上で１つ又は複数のボーブルに関して、ユーザのジェスチャーを検知し、それに基づいてアクションを起こすステップを含む、発明例６５に記載の方法。
［発明例６８］
前記アクションが、
（ａ）より多いか又はより少ない処理リソースを、ボーブルに関連付けられた機能に割り振るステップであって、前記機能が、前記ユーザのジェスチャーを検知するより前に開始されている、ステップと、
（ｂ）ボーブルに関連付けられた処理を縮小し、それに関係付けられた情報を格納して、ユーザプリファレンス又は振る舞いのパターンを見極めることができるようにするステップと、
（ｃ）リモート処理システム内で関連処理を継続中に、前記デバイス上でボーブルに関連付けられた処理を少なくとも一時的に縮小するステップと、
（ｄ）画像を編集して、１つ又は複数の特徴を除外するステップと、
（ｅ）前記デバイス画面上に提示された画像データ内の１つ又は複数の特徴の投影を変更するステップと、
（ｆ）複数のボーブルによって表されたエンティティ間の社会的関係を定義するステップと、
のうち、少なくとも１つを含む、発明例６７に記載の方法。
［発明例６９］
前記提示されたボーブルのうち少なくとも１つを遠近法によって曲げて、前記シーン内で見極められた表面特徴に対応するようにするステップを含む、発明例６５に記載の方法。
［発明例７０］
前記画像処理演算のうち１つ又は複数が、前記シーン内で特徴を認識又は識別するなど、所望の結果に向かって進行するとき、前記提示されたボーブルのうち１つの明るさ、形状又はサイズを変更するステップを含む、発明例６５に記載の方法。
［発明例７１］
前記呼び出すステップが、
（ａ）場所、
（ｂ）時刻、
（ｃ）１人又は複数の人々への近接、
（ｄ）前記最初のセットの画像処理演算に基づいた出力、又は
（ｅ）ユーザの振る舞いの統計モデルのうち、少なくとも１つを含む状況に基づいて、追加の画像処理演算を呼び出すサブステップを含む、発明例６３に記載の方法。
［発明例７２］
前記画像処理演算のうち１つ又は複数からの結果を含むデータから、前記ユーザによって望まれたインタラクションのタイプについての情報を推論し、そのような情報に基づいて、追加の画像処理演算を呼び出すステップを含む、発明例６３に記載の方法。
［発明例７３］
データをリモートシステムへ送信して、前記リモートシステムが前記デバイスと同じ画像処理演算のうち１つ又は複数を行うことができるようにするステップをも含む、発明例６３に記載の方法。
［発明例７４］
前記デバイスが自律的に作動して、前記デバイスのカメラによって撮像された硬貨の集まりの価値を決定する、発明例６３に記載の方法。
［発明例７５］
第１のセットの行われるべき追加の画像処理演算を、より大きい第２のセットの可能な画像処理演算から、
（ａ）デバイスリソース使用、
（ｂ）別々の前記可能な演算に関連付けられたリソース需要、及び
（ｃ）別々の前記可能な演算の間の対応のうち、１つ又は複数を示すデータに基づいて、選択するステップを含む、発明例６３に記載の方法。
［発明例７６］
前記方法が、前記画像データによって表されたシーン内で１つ又は複数の視覚的特徴を見極め、そのような特徴の各々に関係付けられたデータを、対応する識別子に関連して格納するステップを含み、前記識別子が、以下の
（ａ）セッションＩＤ、
（ｂ）明示的オブジェクトＩＤ、及び
（ｃ）前記特徴から導出された、又は、関連状況から導出されたデータのうち、少なくとも２つに基づく、発明例６３に記載の方法。
［発明例７７］
前記方法が、前記デバイス内の非画像センサシステムを使用して、非画像情報を作り出し、そのような情報を、以下の
（ａ）画像処理演算の選択に影響を与えること、及び
（ｂ）前記画像データについての２つ以上の候補の結論の間の曖昧性を除去することのうち、少なくとも１つのために用いるステップを含み、
前記非画像センサシステムが、ジオロケーションシステム、音声センサ、温度センサ、磁場センサ、動きセンサ又は嗅覚センサのうち、少なくとも１つを含む、発明例６３に記載の方法。
［発明例７８］
前記画像データのうち少なくとも一定のもの、又は、前記画像処理演算のうち１つ又は複数からのデータを、リモートコンピュータシステムへ送信して、前記リモートコンピュータシステムが、前記デバイスが、その処理中に、見極めなかった情報を収集するために、前記デバイスによって以前に行われた画像処理を継続することができるようにするステップをさらに含む、発明例６３に記載の方法。

［発明例７９］
磁気センサ付きスマートフォンを操作する方法であって、小売店環境内で複数の電磁エミッタによって出された磁気信号を検知し、それに基づいて、ナビゲーション又は製品情報をユーザに提供するステップによって特徴付けられる、方法。

［発明例８０］
第１のフェーズの動作内で、画像のシーケンスをユーザの周囲からキャプチャするステップと、
前記シーケンスを処理して、その中で特徴を認識し、関連情報を識別するステップであって、前記処理が、前記ユーザによって携行されたポータブル装置によって少なくとも部分的に行われる、ステップと、
前記第１の後に続く第２のフェーズの動作内で、前記ポータブル装置に関連付けられた出力デバイスを使用して、前記関連情報を前記ユーザに提示するステップと、
を含む、方法。
［発明例８１］
（ａ）さもなければ前記シーケンスのより前の部分内で識別不可能である、画像特徴を前記シーケンスのより後の部分内で識別し、前記より後の部分からの前記識別を使用して、前記より前の部分内で前記特徴を識別するステップと、
（ｂ）ユーザのジェスチャーに応答して、前記関連情報のうち少なくともいくつかによって注釈が付けられた、前記シーケンスの少なくとも部分中を前方又は後方に進むステップと、
のうち、少なくとも１つを含む、発明例８０に記載の方法。

［発明例８２］
物理的オブジェクトについての、アサーションにアクセスするため、又は、アサーションを作成するためのユーザの能力を、前記ユーザが前記オブジェクトとの、又は、そのようなアサーションを以前に作成した別のユーザとの明白な関係を有しなければ、制限するステップによって特徴付けられる、リンクトデータ方法。
［発明例８３］
前記明白な関係が、前記ユーザによって携行されたスマートフォンデバイス内のセンサシステムによって作り出されたデータによって示されるような、前記物理的オブジェクトから一定の距離内の存在である、発明例８２に記載の方法。

［発明例８４］
ユーザによって携行されたセンサによって作り出されたデータに基づいて、動き情報をチェックし、前記動き情報が、前記ユーザが制限された方法で動いていることを示す場合、物理的オブジェクトに関する、アサーションにアクセスするため、又は、アサーションを作成するための前記ユーザの能力を制限するステップによって特徴付けられる、リンクトデータ方法。
［発明例８５］
前記制限された方法が、閾値より上の速度の動きを含む、発明例８４に記載の方法。

［発明例８６］
プロセッサと、メモリと、タッチスクリーンと、場所決定モジュールと、少なくとも１つの音声又は画像センサとを含む、処理デバイスであって、前記メモリが、前記タッチスクリーン上でユーザインタフェースを提示するように前記プロセッサを構成する命令を格納し、前記ユーザインタフェースの第１の部分が、前記センサからの情報を提示し、前記ユーザインタフェースの第２の部分が、前記デバイスの場所に関係付けられた情報を同時に提示する、処理デバイス。
［発明例８７］
前記デバイスの場所に関係付けられた前記情報が、近くの付近を描く地図を備え、前記命令が、前記ユーザの過去にあったアクションを示すピンを前記地図上に提示するように、前記プロセッサを構成する、発明例８６に記載のデバイス。

［発明例８８］
プロセッサと、メモリと、画面と、画像センサとを含む、処理デバイスであって、前記メモリが、前記タッチスクリーン上で、前記画像センサによって検知された画像に対応するデータを提示するように前記プロセッサを構成する命令を格納し、前記プロセッサが、前記タッチスクリーン上で、スイープするレーダートレース効果をさらに提示して、画像データを処理することにおけるデバイスアクティビティを示す、処理デバイス。
［発明例８９］
前記命令が、前記スイープするレーダートレースを引きずりながら、前記画像センサによって撮像されたオブジェクトの向きについてのしるしを提示するように、前記プロセッサを構成する、発明例８８に記載のデバイス。
［発明例９０］
前記しるしが、検知された画像データにおけるデジタルウォーターマークの向きを示す、発明例８９に記載のデバイス。
［発明例９１］
サウンドソース位置測定の方法であって、
環境内の複数の無線電話を使用して、周囲の音声をサンプリングするステップと、
第１の電話によって検知された音声情報を、第２の電話へ送信するステップと、
前記第１の電話の位置を前記第２の場所に関係付ける、場所データを見極めるステップと、
前記第２の電話において、前記場所データ、前記第１の電話から受信された音声情報、及び、前記第２の電話によってサンプリングされた音声を処理して、前記第２の電話に対するサウンドソース方向を見極めるステップと、
を含む、方法。
［発明例９２］
前記送信するステップが、ウィンドウ化周波数ドメイン（ｗｉｎｄｏｗｅｄ  ｆｒｅｑｕｅｎｃｙ  ｄｏｍａｉｎ）ベースの圧縮によって時間的に曖昧にされていない情報を送信するサブステップを含む、発明例９１に記載の方法。